(57)【要約】【課題】ＩＣカード等を利用した入退場を管理するゲートにおいて、脅迫者に気付かれずに確実に通報を可能とする通報システムを提供する。【解決手段】社員は、脅迫者から脅迫を受けている場合、通報してゲート３を通るためには、第２リーダライタ７にＩＣカード１５をかざす。ゲート制御部９は、第２リーダライタ７から正しい認証結果が送られてきたかを確認する。第２リーダライタ７から正しい認証結果が送られてきたことから、ゲート制御部９は、ゲート３を開ける。第２リーダライタ７は、管理用端末１１に通報信号を送る。管理用端末１１は、異常を表示したり、警報機を鳴動させたりする。【選択図】図１
2008097080.tif 000002
【特許請求の範囲】
【請求項１】
ゲートと、
前記ゲートの開閉を制御するゲート制御部と、
ＩＣカードと、
前記ＩＣカードの認証を行い、認証が正しければ、前記ゲート制御部にゲートを開ける信号を送る第１リーダライタと、
前記ＩＣカードの認証を行い、認証が正しければ、前記ゲート制御部にゲートを開ける信号を送るとともに通報信号を発生する第２リーダライタと、
を具備することを特徴とする通報システム。
【請求項２】
前記第２リーダライタは、前記通報信号を管理用端末に送ることを特徴とする請求項１に記載の通報システム。
【請求項３】
前記第２リーダライタは、前記通報信号を前記ゲート制御部を介して、管理用端末に送ることを特徴とする請求項１に記載の通報システム。
【請求項４】
ゲートと、
前記ゲートの開閉を制御するゲート制御部と、
ＩＣカードと、
前記ＩＣカードの認証を行い、認証が正しければ、前記ＩＣカードの認証情報を書き込む第１リーダライタと、
前記ＩＣカードの認証を行い、認証が正しければ、前記ゲート制御部にゲートを開ける信号を送り、前記認証情報が書き込まれていない場合には通報信号を発生する第２リーダライタと、
を具備することを特徴とする通報システム。
【請求項５】
前記第２リーダライタは、前記通報信号を管理用端末に送ることを特徴とする請求項４に記載の通報システム。
【請求項６】
前記第２リーダライタは、前記通報信号を前記ゲート制御部を介して、管理用端末に送ることを特徴とする請求項４に記載の通報システム。
【請求項７】
前記第２リーダライタは、前記通報信号を発生させなかった場合には前記認証情報を削除することを特徴とする請求項４に記載の通報システム。
【請求項８】
ゲートと、
前記ゲートの開閉を制御するゲート制御部と、
ＩＣカードと、
通路中に設けられ、前記ＩＣカードの認証を行い、認証が正しければ、前記ＩＣカードに経路情報を書き込む複数のリーダライタと、
前記ＩＣカードの認証を行い、認証が正しければ、前記ゲート制御部にゲートを開ける信号を送り、前記経路情報に応じて通報信号を発生する第３リーダライタと、
を具備することを特徴とする通報システム。
【請求項９】
前記第３リーダライタは、前記通報信号を管理用端末に送ることを特徴とする請求項８に記載の通報システム。
【請求項１０】
前記第３リーダライタは、前記通報信号を前記ゲート制御部を介して、管理用端末に送ることを特徴とする請求項８に記載の通報システム。
【請求項１１】
ゲートと、
前記ゲートの開閉を制御するゲート制御部と、
ＩＣカードと、
前記ＩＣカードの認証を行い、認証が正しければ、前記ゲート制御部にゲートを開ける信号を送る第１と第２リーダライタと、
を具備し、
前記ゲート制御部は、前記第１リーダライタからゲートを開ける信号が送られるとゲートを開け、その後所定時間内に前記第２リーダライタからゲートを開ける信号が送られると、通報信号を発生することを特徴とする通報システム。
【請求項１２】
ゲートと、
前記ゲートの開閉を制御するゲート制御部と、
ＩＣカードと、
前記ゲートの前方に設けられ、照射された赤外線を受光し、遮断されると前記ゲート制御部に信号を送る赤外線センサと、
前記ＩＣカードの認証を行い、認証が正しければ、前記ゲート制御部にゲートを開ける信号を送るリーダライタと、
を具備し、
前記ゲート制御部は、前記リーダライタから信号が送られると前記ゲートを開け、前記リーダライタからの信号が前記赤外線センサからの信号よりも遅れた場合、通報信号を発生することを特徴とする通報システム。
【請求項１３】
ゲートと、
前記ゲートの開閉を制御するゲート制御部と、
ＩＣカードと、
前記ＩＣカードの認証を行うとともに、前記ＩＣカードがかざされた時間を計測し、認証が正しければ、ゲートを開ける信号を前記ゲート制御部に送り、前記時間が所定時間よりも長い場合には、通報信号を発生するリーダライタと、
を具備することを特徴とする通報システム。
【請求項１４】
前記リーダライタは、前記通報信号を管理用端末に送ることを特徴とする請求項１３に記載の通報システム。
【請求項１５】
前記リーダライタは、前記通報信号を前記ゲート制御部を介して、管理用端末に送ることを特徴とする請求項１３に記載の通報システム。
【請求項１６】
ゲートと、
前記ゲートの開閉を制御するゲート制御部と、
指紋認証装置と、
を具備し、
前記指紋認証措置は、認証された指が第１の指であった場合には、前記ゲート制御部にゲートを開ける信号を送り、第２の指であった場合には、前記ゲート制御部にゲートを開ける信号を送るとともに、通報信号を発生することを特徴とする通報システム
【請求項１７】
前記指紋認証装置は、前記通報信号を管理用端末に送ることを特徴とする請求項１６に記載の通報システム。
【請求項１８】
前記指紋認証装置は、前記通報信号を前記ゲート制御部を介して、管理用端末に送ることを特徴とする請求項１６に記載の通報システム。
【発明の詳細な説明】
【技術分野】
【０００１】
本発明は、ＩＣカード等を利用して入退場を管理するゲートに係り、特に正当な資格を持つ社員が脅迫者に脅されてゲートを開ける場合において、脅迫者に気付かれずに通報することを可能とする通報システムに関する。
【背景技術】
【０００２】
近年、各エリアや部屋が、ＩＣカードをかざすと開くゲートによって仕切られているオフィスビルが増えてきている。ゲートを開けることができるＩＣカードは、正当な資格を持つ社員だけに配布されるため、セキュリティが保たれる。
【０００３】
一方、社員が第三者に脅迫され、無理やりゲートを開けさせられる場合が考えられる。この場合、社員の身を守るためには、その場で警報を鳴らすことは逆効果になる場合がある。社員の身を守ることを第一に考えると、ゲートを開けるとともに、管理用端末等に通報する仕組みが望ましい。
こうした仕組みの例として、特許文献１，２，３がある。
【特許文献１】特許第２６５４４１６号
【特許文献２】特開平５−１８７１５７号公報
【特許文献３】特開平５−１８９６３７号公報
【発明の開示】
【発明が解決しようとする課題】
【０００４】
しかしながら、特許文献１の例では、テンキーによる暗証番号の入力によって認証（特許文献１では検定）を行う装置を対象としている。テンキーを強く押したときや一定時間押し続けた場合に通報する仕組みとなっており、非接触型ＩＣカードによる認証には応用できない。
【０００５】
特許文献２の例では、認証（特許文献２では検定）媒体が二つ必要である。そのため、社員が常に二つの媒体を携帯していなければならないという不都合があることに加え、社員全員に二つの媒体を配布することはコスト面を考えても問題がある。
【０００６】
特許文献３の例では、通報する場合には、同じ認証（特許文献３では検定）装置に対して、連続して２回の認証を成功するか、または１回目の認証は成功して２回目の認証を失敗することが求められる。しかし、非接触型ＩＣカードによる認証では、同一のリーダライタに対して連続して２回の認証を成功することや２回目の認証を故意に失敗することは確実性が低い動作である。非接触型ＩＣカードでは、かざす角度、距離、時間によっては反応し損ねることがあり、確実に認証成功ができるとは言えず、逆に確実に認証失敗ができるとも言えないからである。
【０００７】
本発明は、以上の点に鑑みてなされたものであり、ＩＣカード等を利用した入退場を管理するゲートにおいて、脅迫者に気付かれずに確実に通報を可能とする通報システムを提供することを目的とする。
【課題を解決するための手段】
【０００８】
前述した目的を達成するために第１の発明は、ゲートと、前記ゲートの開閉を制御するゲート制御部と、ＩＣカードと、前記ＩＣカードの認証を行い、認証が正しければ、前記ゲート制御部にゲートを開ける信号を送る第１リーダライタと、前記ＩＣカードの認証を行い、認証が正しければ、前記ゲート制御部にゲートを開ける信号を送るとともに通報信号を発生する第２リーダライタと、を具備することを特徴とする通報システムである。
【０００９】
また、前記第２リーダライタは、前記通報信号を管理用端末に送る手段を更に具備することが望ましい。
また、前記第２リーダライタは、前記通報信号を前記ゲート制御部を介して、管理用端末に送る手段を更に具備することでも良い。
【００１０】
第１の発明では、第１リーダライタにＩＣカードがかざされて認証が正しければ、ゲートを開き、第２リーダライタにＩＣカードがかざされて認証が正しければ、ゲートを開くとともに通報を行う。
【００１１】
第２の発明は、ゲートと、前記ゲートの開閉を制御するゲート制御部と、ＩＣカードと、前記ＩＣカードの認証を行い、認証が正しければ、前記ＩＣカードの認証情報を書き込む第１リーダライタと、前記ＩＣカードの認証を行い、認証が正しければ、前記ゲート制御部にゲートを開ける信号を送り、前記認証情報が書き込まれていない場合には通報信号を発生する第２リーダライタと、を具備することを特徴とする通報システムである。
【００１２】
また、前記第２リーダライタは、前記通報信号を管理用端末に送る手段を更に具備することが望ましい。
また、前記第２リーダライタは、前記通報信号を前記ゲート制御部を介して、管理用端末に送る手段を更に具備することでも良い。
また、前記第２リーダライタは、前記通報信号を発生させなかった場合には前記認証情報を削除する手段を更に具備することが望ましい。
【００１３】
第２の発明では、第１リーダライタと第２リーダライタの両方にＩＣカードがかざされて認証が正しければ、ゲートを開き、第２リーダライタにのみＩＣカードがかざされて認証が正しければ、ゲートを開くとともに通報を行う。
【００１４】
第３の発明は、ゲートと、前記ゲートの開閉を制御するゲート制御部と、ＩＣカードと、通路中に設けられ、前記ＩＣカードの認証を行い、認証が正しければ、前記ＩＣカードに経路情報を書き込む複数のリーダライタと、前記ＩＣカードの認証を行い、認証が正しければ、前記ゲート制御部にゲートを開ける信号を送り、前記経路情報に応じて通報信号を発生する第３リーダライタと、を具備することを特徴とする通報システムである。
【００１５】
また、前記第３リーダライタは、前記通報信号を管理用端末に送る手段を更に具備することが望ましい。
また、前記第３リーダライタは、前記通報信号を前記ゲート制御部を介して、管理用端末に送る手段を更に具備することでも良い。
【００１６】
第３の発明では、経路情報に応じて、ゲートを開くのみとするか、ゲートを開くとともに通報するかの判断を行う。
【００１７】
第４の発明は、ゲートと、前記ゲートの開閉を制御するゲート制御部と、ＩＣカードと、前記ＩＣカードの認証を行い、認証が正しければ、前記ゲート制御部にゲートを開ける信号を送る第１と第２リーダライタと、を具備し、前記ゲート制御部は、前記第１リーダライタからゲートを開ける信号が送られるとゲートを開け、その後所定時間内に前記第２リーダライタからゲートを開ける信号が送られると、通報信号を発生することを特徴とする通報システムである。
【００１８】
第４の発明では、第１リーダライタにＩＣカードがかざされて認証が正しければ、ゲートを開き、その後所定時間内に第２リーダライタにＩＣカードがかざされて認証が正しければ、ゲートを開くとともに通報を行う。
【００１９】
第５の発明は、ゲートと、前記ゲートの開閉を制御するゲート制御部と、ＩＣカードと、前記ゲートの前方に設けられ、照射された赤外線を受光し、遮断されると前記ゲート制御部に信号を送る赤外線センサと、前記ＩＣカードの認証を行い、認証が正しければ、前記ゲート制御部にゲートを開ける信号を送るリーダライタと、を具備し、前記ゲート制御部は、前記リーダライタから信号が送られると前記ゲートを開け、前記リーダライタからの信号が前記赤外線センサからの信号よりも遅れた場合、通報信号を発生することを特徴とする通報システムである。
【００２０】
第５の発明では、赤外線センサが遮断される前にリーダライタにＩＣカードがかざされて認証が正しければ、ゲートを開き、赤外線センサが遮断された後にリーダライタにＩＣカードがかざされて認証が正しければ、ゲートを開くとともに通報を行う。
【００２１】
第６の発明は、ゲートと、前記ゲートの開閉を制御するゲート制御部と、ＩＣカードと、前記ＩＣカードの認証を行うとともに、前記ＩＣカードがかざされた時間を計測し、認証が正しければ、ゲートを開ける信号を前記ゲート制御部に送り、前記時間が所定時間よりも長い場合には、通報信号を発生するリーダライタと、を具備することを特徴とする通報システムである。
【００２２】
また、前記リーダライタは、前記通報信号を管理用端末に送る手段を更に具備することが望ましい。
また、前記リーダライタは、前記通報信号を前記ゲート制御部を介して、管理用端末に送る手段を更に具備することでも良い。
【００２３】
第６の発明では、リーダライタにＩＣカードがかざされた時間に応じて、ゲートを開くのみとするか、ゲートを開くとともに通報するかの判断を行う。
【００２４】
第７の発明は、ゲートと、前記ゲートの開閉を制御するゲート制御部と、指紋認証装置と、を具備し、前記指紋認証装置は、認証された指が第１の指であった場合には、前記ゲート制御部にゲートを開ける信号を送り、第２の指であった場合には、前記ゲート制御部にゲートを開ける信号を送るとともに、通報信号を発生することを特徴とする通報システムである。
【００２５】
また、前記指紋認証装置は、前記通報信号を管理用端末に送る手段を更に具備することが望ましい。
また、前記指紋認証装置は、前記通報信号を前記ゲート制御部を介して、管理用端末に送る手段を更に具備することでも良い。
【００２６】
第７の発明では、指紋認証装置で認証された指に応じて、ゲートを開くのみとするか、ゲートを開くとともに通報するかの判断を行う。
【発明の効果】
【００２７】
本発明は、ＩＣカード等を利用した入退場を管理するゲートにおいて、脅迫者に気付かれずに確実に通報を可能とする通報システムを提供することができる。
【発明を実施するための最良の形態】
【００２８】
以下図面に基づいて、本発明の実施形態を詳細に説明する。
【００２９】
第１の実施形態を詳細に説明する。
図１は、第１の実施の形態に係る通報システム１の概略構成を示す図である。
【００３０】
図１に示すように、通報システム１は、ゲート３、第１リーダライタ５、第２リーダライタ７、ゲート制御部９、管理用端末１１、ＩＣカード１５等から構成される。
ゲート３は、特定のエリアや部屋の入退場口であり、ゲート制御部９によって開閉が制御される。
第１リーダライタ５、第２リーダライタ７は、ＩＣカード１５と無線通信を行い、ＩＣカード１５の情報を読み書きする。また、第２リーダライタ７は、管理用端末１１に接続される。そして、第１リーダライタ５、第２リーダライタ７は、壁面等に設置される。
ゲート制御部９は、第１リーダライタ５、第２リーダライタ７からの信号を受け、ゲート３の開閉を制御する。また、ゲート制御部９は、管理用端末１１に接続されても良い。そして、ゲート制御部９は、壁面等に設置、または埋設される。
管理用端末１１は、管理室１３に設置されたパーソナルコンピュータ等である。
ＩＣカード１５は、社員のＩＤ情報等が記憶されており、社員が携帯する。
【００３１】
図２は、第１リーダライタ５のハードウェア構成図である。第１リーダライタ５は、制御部２１、記憶部２３、送受信部２５、通信制御部２７、バス２９、アンテナ３１等を有する。
制御部２１は、記憶部２３に格納されるプログラムを呼び出して実行し、バス２９を介して接続された各装置を駆動制御し、第１リーダライタ５が行う後述する処理（図４参照）を実現する。
記憶部２３は、制御部２１が実行するプログラム、プログラムに必要なデータ等を格納する。
送受信部２５は、データの変調、復調を行い、アンテナ３１を介してＩＣカード１５と無線通信を行う。
通信制御部２７は、ゲート制御部９や管理用端末１１と制御信号等の授受を行う。
バス２９は、各装置間の制御信号、データ信号等の授受を媒介する経路である。
アンテナ３１は、送受信部２５とＩＣカード１５が無線通信を行う際にデータ転送を行う。
なお、第２リーダライタ７も、第１リーダライタ５と同様の構成を有する。
【００３２】
図３は、ＩＣカード１５のハードウェア構成図である。ＩＣカード１５は、制御部４１、記憶部４３、送受信部４５、バス４７、アンテナ４９等を有する。
制御部４１は、バス４７を介して接続された各装置を駆動制御する。
記憶部４３は、リーダライタによって書き込まれたデータ等を格納する。
送受信部４５は、データの変調、復調を行い、アンテナ４９を介してリーダライタと無線通信を行う。
バス４７は、各装置間の制御信号、データ信号等の授受を媒介する経路である。
アンテナ４９は、送受信部４５とリーダライタが無線通信を行う際にデータ転送を行う。
【００３３】
次に、図４を参照しながら、第１の実施形態に係る通報システム１の動作を説明する。
図４は、通報システム１の処理手順を示すフローチャートである。
社員は、脅迫者から脅迫を受けていない場合、通報せずにゲート３を通るためには、第１リーダライタ５にＩＣカード１５をかざす必要がある。一方、脅迫者から脅迫を受けている場合、通報してゲート３を通るためには、第２リーダライタ７にＩＣカード１５をかざす必要がある。
【００３４】
最初に、社員が脅迫者から脅迫を受けていない場合の通報システム１の動作を説明する。
社員は、第１リーダライタ５にＩＣカード１５をかざす。第１リーダライタ５は、ＩＣカード１５の認証を行う。第１リーダライタ５は、認証結果をゲート制御部９に送る。ゲート制御部９は、第１リーダライタ５から正しい認証結果が送られてきたかを確認する（ステップ４０１）。また、第１リーダライタ５が、正しい認証結果かどうかの確認を行い、ゲート制御部９には、ゲート３を開ける信号を送っても良い。
第１リーダライタ５から正しい認証結果が送られてきたことから、ゲート制御部９は、ゲート３を開ける（ステップ４０２）。
【００３５】
次に、社員が脅迫者から脅迫を受けている場合の通報システム１の動作を説明する。
社員は、第２リーダライタ７にＩＣカード１５をかざす。ゲート制御部９は、第１リーダライタ５から正しい認証結果が送られてきたかを確認する（ステップ４０１）。また、第１リーダライタ５が、正しい認証結果かどうかの確認を行い、ゲート制御部９には、ゲート３を開ける信号を送っても良い。
第１リーダライタ５から正しい認証結果が送られてきていないことから、ゲート制御部９は、この時点ではゲート３を開けない。第２リーダライタ７は、ＩＣカード１５の認証を行う。第２リーダライタ７は、認証結果をゲート制御部９に送る。ゲート制御部９は、第２リーダライタ７から正しい認証結果が送られてきたかを確認する（ステップ４０３）。また、第２リーダライタ７が、正しい認証結果かどうかの確認を行い、ゲート制御部９には、ゲート３を開ける信号を送っても良い。
なお、第２リーダライタ７から正しい認証結果が送られなかった場合、最初から繰り返す。
第２リーダライタ７から正しい認証結果が送られてきたことから、ゲート制御部９は、ゲート３を開ける（ステップ４０４）。
第２リーダライタ７は、管理用端末１１に通報信号を送る（ステップ４０５）。この際、第２リーダライタ７は、ゲート制御部９を介して、管理用端末１１に通報信号を送っても良い。
管理用端末１１は、異常を表示したり、警報機を鳴動させたりする（ステップ４０６）。
【００３６】
以上説明したように、第１リーダライタ５で正しい認証が行われた場合には、ゲート制御部９は、ゲート３を開ける。
一方、第２リーダライタ７で正しい認証が行われた場合には、ゲート制御部９は、ゲート３を開けて、第２リーダライタ７は、管理用端末１１に通報信号を送る。これにより、社員は、脅迫者に気付かれることなく、管理用端末１１に通報することが可能となる。
【００３７】
本実施の形態では、第２リーダライタ７における認証が失敗しても、成功するまで認証を行えば良いから、確実に通報が可能となる。
また、脅迫者にＩＣカード１５が渡ってしまった場合でも、第２リーダライタ７を見やすい位置に設置することで、脅迫者が第２リーダライタ７にＩＣカード１５をかざせば、管理用端末１１に通報されることになる。
【００３８】
次に、第２の実施形態を詳細に説明する。
図５は、第２の実施の形態に係る通報システム１ａの概略構成を示す図である。なお、以下の各実施の形態において、図１に示す第１の実施の形態の構成要素と同一の機能を果たす要素には、同一の番号を付し、重複した説明を避ける。
図５に示すように、通報システム１ａは、ゲート３、第１リーダライタ５ａ、第２リーダライタ７ａ、ゲート制御部９ａ、管理用端末１１（図示せず）、ＩＣカード１５等から構成される。
第１リーダライタ５ａ、第２リーダライタ７ａは、ＩＣカード１５と無線通信を行い、ＩＣカード１５の情報を読み書きする。そして、第１リーダライタ５ａは、ゲート３から離れた壁面等に設置され、第２リーダライタ７ａは、ゲート３に近接した壁面等に設置される。
ゲート制御部９ａは、第２リーダライタ７ａからの信号を受け、ゲート３の開閉を制御する。そして、ゲート制御部９ａは、壁面等に設置、または埋設される。
【００３９】
図６は、通報システム１ａの構成を示すブロック図である。
第１リーダライタ５ａは、ゲート制御部９ａに接続されなくても良い。
第２リーダライタ７ａは、管理用端末１１とゲート制御部９ａに接続される。
ゲート制御部９ａは、ゲート３に接続される。また、ゲート制御部９ａは、管理用端末１１に接続されても良い。
【００４０】
次に、図７を参照しながら、第２の実施形態に係る通報システム１ａの動作を説明する。
図７は、通報システム１ａの処理手順を示すフローチャートである。
社員は、脅迫者から脅迫を受けていない場合、通報せずにゲート３を通るためには、第１リーダライタ５ａと第２リーダライタ７ａにＩＣカード１５をかざす必要がある。一方、脅迫者から脅迫を受けている場合、通報してゲート３を通るためには、第２リーダライタ７ａのみにＩＣカード１５をかざす必要がある。
【００４１】
最初に、社員が脅迫者から脅迫を受けていない場合の通報システム１ａの動作を説明する。
社員は、第１リーダライタ５ａにＩＣカード１５をかざす。第１リーダライタ５ａは、ＩＣカード１５の認証を行う。第１リーダライタ５ａは、ＩＣカード１５に認証したことを示すフラグを認証情報として書き込む。
社員は、第２リーダライタ７ａにＩＣカード１５をかざす。第２リーダライタ７ａは、ＩＣカード１５の認証を行う。第２リーダライタ７ａは、認証結果とフラグ情報をゲート制御部９ａに送る。ゲート制御部９ａは、第２リーダライタ７ａから正しい認証結果が送られ、フラグが書き込まれているかを確認する（ステップ７０１）。また、第２リーダライタ７ａが、正しい認証結果かどうかとフラグが書き込まれているかを確認し、ゲート制御部９ａには、ゲート３を開ける信号を送っても良い。
第２リーダライタ７ａから正しい認証結果が送られ、フラグが書き込まれていることから、ゲート制御部９ａは、ゲート３を開ける（ステップ７０２）。
第２リーダライタ７ａは、ＩＣカード１５のフラグを削除する（ステップ７０３）。
【００４２】
次に、社員が脅迫者から脅迫を受けている場合の通報システム１ａの動作を説明する。
社員は、第２リーダライタ７ａにＩＣカード１５をかざす。第２リーダライタ７ａは、ＩＣカード１５の認証を行う。第２リーダライタ７ａは、認証結果とフラグ情報をゲート制御部９ａに送る。ゲート制御部９ａは、第２リーダライタ７ａから正しい認証結果が送られ、フラグが書き込まれているかを確認する（ステップ７０１）。また、第２リーダライタ７ａが、正しい認証結果かどうかとフラグが書き込まれているかを確認し、ゲート制御部９ａには、ゲート３を開ける信号を送っても良い。
第２リーダライタ７ａから正しい認証結果が送られ、フラグが書き込まれていないことから、ゲート制御部９ａは、ゲート３を開ける（ステップ７０４）。
第２リーダライタ７ａは、管理用端末１１に通報信号を送る（ステップ７０５）。この際、第２リーダライタ７ａは、ゲート制御部９を介して、管理用端末１１に通報信号を送っても良い。
管理用端末１１は、異常を表示したり、警報機を鳴動させたりする（ステップ７０６）。
【００４３】
以上説明したように、第１リーダライタ５ａでＩＣカード１５にフラグが書き込まれ、第２リーダライタ７ａで正しい認証が行われた場合には、ゲート制御部９ａは、ゲート３を開ける。
一方、第１リーダライタ５ａでＩＣカード１５にフラグが書き込まれず、第２リーダライタ７ａで正しい認証が行われた場合には、ゲート制御部９ａは、ゲート３を開けて、第２リーダライタ５ａは、管理用端末１１に通報信号を送る。これにより、社員は、脅迫者に気付かれることなく、管理用端末１１に通報することが可能となる。
【００４４】
本実施の形態では、第２リーダライタ７ａにおける認証が失敗しても、成功するまで認証を行えば良いから、確実に通報が可能となる。
また、脅迫者にＩＣカード１５が渡ってしまった場合でも、第１リーダライタ５ａをゲート３から離れて設置することで、脅迫者が第１リーダライタ５ａにＩＣカード１５をかざさずに第２リーダライタ７ａにのみＩＣカード１５をかざせば、管理用端末１１に通報されることになる。
【００４５】
次に、第３の実施形態を詳細に説明する。
図８は、第３の実施の形態に係る通報システム１ｂの概略構成を示す図である。
図８に示すように、通報システム１ｂは、第１ゲート３−１、第２ゲート３−２、第３ゲート３−３、第１リーダライタ５ｂ、第２リーダライタ７ｂ、第３リーダライタ６、ゲート制御部９ｂ、管理用端末１１、ＩＣカード１５等から構成される。
第１リーダライタ５ｂ、第２リーダライタ７ｂ、第３リーダライタ６は、ＩＣカード１５と無線通信を行い、ＩＣカード１５の情報を読み書きする。また、第３リーダライタ６は、ゲート制御部９ｂと管理用端末１１に接続される。そして、第１リーダライタ５ｂは、第１ゲート３−１の前方に設置される。第２リーダライタ７ｂは、第２ゲート３−２の前方に設置される。第３リーダライタ６は、第３ゲート３−３に近接した壁面等に設置される。
ゲート制御部９ｂは、第３リーダライタ６からの信号を受け、第３ゲート３−３の開閉を制御する。また、ゲート制御部９ｂは、管理用端末１１に接続されても良い。そして、ゲート制御部９ｂは、壁面等に設置、または埋設される。
【００４６】
次に、図９を参照しながら、第３の実施形態に係る通報システム１ｂの動作を説明する。
図９は、通報システム１ｂの処理手順を示すフローチャートである。
社員は、脅迫者から脅迫を受けていない場合、通報せずに第３ゲート３−３を通るためには、第１ゲート３−１を通過する必要がある。一方、脅迫者から脅迫を受けている場合、通報して第３ゲート３−３を通るためには、第２ゲート３−２を通過する必要がある。
【００４７】
最初に、社員が脅迫者から脅迫を受けていない場合の通報システム１ｂの動作を説明する。
社員は、第１リーダライタ５ｂにＩＣカード１５をかざす。第１リーダライタ５ｂは、ＩＣカード１５の認証を行う。第１リーダライタ５ｂは、ＩＣカード１５に経路情報として第１ゲート通過情報を書き込む。
社員は、第３リーダライタ６にＩＣカード１５をかざす。第３リーダライタ６は、ＩＣカード１５の認証を行う。第３リーダライタ６は、認証結果と経路情報をゲート制御部９ｂに送る。ゲート制御部９ｂは、第３リーダライタ６から正しい認証結果が送られ、経路情報が第１ゲート通過情報か第２ゲート通過情報かを確認する（ステップ９０１）。また、第３リーダライタ６が、正しい認証結果かどうかと、経路情報が第１ゲート通過情報か第２ゲート通過情報かを確認し、ゲート制御部９ｂには、第３ゲート３−３を開ける信号を送っても良い。
第３リーダライタ６から正しい認証結果が送られ、経路情報が第１ゲート通過情報であることから、ゲート制御部９ｂは、第３ゲート３−３を開ける（ステップ９０２）。
【００４８】
次に、社員が脅迫者から脅迫を受けている場合の通報システム１ｂの動作を説明する。
社員は、第２リーダライタ７ｂにＩＣカード１５をかざす。第２リーダライタ７ｂは、ＩＣカード１５の認証を行う。第２リーダライタ７ｂは、ＩＣカード１５に経路情報として第２ゲート通過情報を書き込む。
社員は、第３リーダライタ６にＩＣカード１５をかざす。第３リーダライタ６は、ＩＣカード１５の認証を行う。第３リーダライタ６は、認証結果と経路情報をゲート制御部９ｂに送る。ゲート制御部９ｂは、第３リーダライタ６から正しい認証結果が送られ、経路情報が第１ゲート通過情報か第２ゲート通過情報かを確認する（ステップ９０１）。また、第３リーダライタ６が、正しい認証結果かどうかと、経路情報が第１ゲート通過情報か第２ゲート通過情報かを確認し、ゲート制御部９ｂには、第３ゲート３−３を開ける信号を送っても良い。
第３リーダライタ６から正しい認証結果が送られ、経路情報が第２ゲート通過情報であることから、ゲート制御部９ｂは、第３ゲート３−３を開ける（ステップ９０３）。
第３リーダライタ６は、管理用端末１１に通報信号を送る（ステップ９０４）。この際、第３リーダライタ６は、ゲート制御部９ｂを介して、管理用端末１１に通報信号を送っても良い。
管理用端末１１は、異常を表示したり、警報機を鳴動させたりする（ステップ９０５）。
【００４９】
以上説明したように、ＩＣカード１５に書き込まれた経路情報が第１ゲート通過情報の場合には、ゲート制御部９ｂは、第３ゲート３−３を開ける。
一方、ＩＣカード１５に書き込まれた経路情報が第２ゲート通過情報の場合には、ゲート制御部９ｂは、第３ゲート３−３を開けて、第３リーダライタ６は、管理用端末１１に通報信号を送る。これにより、社員は、脅迫者に気付かれることなく、管理用端末１１に通報することが可能となる。
【００５０】
本実施の形態では、第３リーダライタ６における認証が失敗しても、成功するまで認証を行えば良いから、確実に通報が可能となる。
また、脅迫者にＩＣカード１５が渡ってしまった場合でも、第２ゲート３−２に誘導することで、脅迫者が第２ゲート３−２を通過すれば、管理用端末１１に通報されることになる。
尚、本実施の形態では、３−１と３−２の２つのゲートの通過経路によって通報を行うか行わないかを区別したが、ゲートが３つ以上の場合にも適応可能である。例えば、ゲートが４つあり、１番、２番、３番のゲートを通過した場合は通報させず、１番、４番、３番のゲートを通過した場合は通報させるようにしても良い。
【００５１】
次に、第４の実施形態を詳細に説明する。
図１０は、第４の実施の形態に係る通報システム１ｃの概略構成を示す図である。
図１０に示すように、通報システム１ｃは、ゲート３、第１リーダライタ５ｃ、第２リーダライタ７ｃ、ゲート制御部９ｃ、管理用端末１１、ＩＣカード１５等から構成される。
第１リーダライタ５ｃ、第２リーダライタ７ｃは、ＩＣカード１５と無線通信を行い、ＩＣカード１５の情報を読み書きする。そして、第１リーダライタ５ｃは入場用、第２リーダライタ７ｃは退場用として、ゲート３を挟んで設置される。
ゲート３、第１リーダライタ５ｃ、第２リーダライタ７ｃとして、通常の鉄道等の駅で用いられるゲート等をそのまま用いても良い。
ゲート制御部９ｃは、第１リーダライタ５ｃと第２リーダライタ７ｃからの信号を受け、ゲート３の開閉を制御する。また、ゲート制御部９ｃは、管理用端末１１に接続される。そして、ゲート制御部９ｃは、壁面等に設置、または埋設される。
【００５２】
次に、図１１を参照しながら、第４の実施形態に係る通報システム１ｃの動作を説明する。
図１１は、通報システム１ｃの処理手順を示すフローチャートである。
社員は、脅迫者から脅迫を受けていない場合、通報せずにゲート３を通るためには、第１リーダライタ５ｃにＩＣカード１５をかざす必要がある。一方、脅迫者から脅迫を受けている場合、通報してゲート３を通るためには、第１リーダライタ５ｃと第２リーダライタ７ｃの両方にＩＣカード１５をかざす必要がある。
【００５３】
最初に、社員が脅迫者から脅迫を受けていない場合の通報システム１ｃの動作を説明する。
社員は、第１リーダライタ５ｃにＩＣカード１５をかざす。第１リーダライタ５ｃは、ＩＣカード１５の認証を行う。第１リーダライタ５ｃは、認証結果をゲート制御部９ｃに送る。ゲート制御部９ｃは、第１リーダライタ５ｃから正しい認証結果が送られてきたかを確認する（ステップ１１０１）。また、第１リーダライタ５ｃが、正しい認証結果かどうかを確認し、ゲート制御部９ｃには、ゲート３を開ける信号を送っても良い。
なお、第１リーダライタ５ｃから正しい認証結果が送られてきていない場合、最初から繰り返す。
ゲート制御部９ｃは、ゲート３を開ける（ステップ１１０２）。
ゲート制御部９ｃは、所定時間内に、第２リーダライタ７ｃで認証が行われ、ゲート制御部９ｃに正しい認証結果が送られてきたかを確認する（ステップ１１０３）。また、第２リーダライタ７ｃが、正しい認証結果かどうかを確認し、ゲート制御部９ｃには、ゲート３を開ける信号を送っても良い。
第２リーダライタ７ｃから所定時間内に正しい認証結果が送られてきていないことから、ゲート制御部９ｃは、第２リーダライタ７ｃに通報命令を送らず、第２リーダライタ７ｃは、管理用端末１１に通報信号を送らない。
【００５４】
次に、社員が脅迫者から脅迫を受けていない場合の通報システム１ｃの動作を説明する。
社員は、第１リーダライタ５ｃにＩＣカード１５をかざす。第１リーダライタ５ｃは、ＩＣカード１５の認証を行う。第１リーダライタ５ｃは、認証結果をゲート制御部９ｃに送る。ゲート制御部９ｃは、第１リーダライタ５ｃから正しい認証結果が送られてきたかを確認する（ステップ１１０１）。また、第１リーダライタ５ｃが、正しい認証結果かどうかを確認し、ゲート制御部９ｃには、ゲート３を開ける信号を送っても良い。
第１リーダライタ５ｃから正しい認証結果が送られてきていない場合、最初から繰り返す。
ゲート制御部９ｃは、ゲート３を開ける（ステップ１１０２）。
社員は、所定時間内に、第２リーダライタ７ｃにＩＣカード１５をかざす。第２リーダライタ７ｃは、ＩＣカード１５の認証を行う。第２リーダライタ７ｃは、認証結果をゲート制御部９ｃに送る。ゲート制御部９ｃは、所定時間内に、第２リーダライタ７ｃで認証が行われ、ゲート制御部９ｃに正しい認証結果が送られてきたかを確認する（ステップ１１０３）。また、第２リーダライタ７ｃが、正しい認証結果かどうかを確認し、ゲート制御部９ｃには、ゲート３を開ける信号を送っても良い。
第２リーダライタ７ｃから所定時間内に正しい認証結果が送られてきたことから、ゲート制御部９ｃは、第２リーダライタ７ｃに通報命令を送り、第２リーダライタ７ｃは、管理用端末１１に通報信号を送る（ステップ１１０４）。また、ゲート制御部９ｃが、管理用端末１１に通報信号を送っても良い。
管理用端末１１は、異常を表示したり、警報機を鳴動させたりする（ステップ１１０５）。
【００５５】
以上説明したように、第１リーダライタ５ｃで正しい認証が行われた場合には、ゲート制御部９ｃは、ゲート３を開ける。
さらに、所定時間内に第２リーダライタ７ｃで正しい認証が行われた場合には、ゲート制御部９ｃまたは第２リーダライタ７ｃは、管理用端末１１に通報信号を送る。これにより、社員は、脅迫者に気付かれることなく、管理用端末１１に通報することが可能となる。
【００５６】
本実施の形態では、適切な所定時間を決めておけば、第２リーダライタ７ｃにおける認証が失敗しても、成功するまで認証を行えば良いから、確実に通報が可能となる。
また、通常の鉄道等の駅で用いられるゲートやリーダライタを使用することで、コスト面での負担を減らして、通報システム１ｃを導入することができる。
【００５７】
次に、第５の実施形態を詳細に説明する。
図１２は、第５の実施の形態に係る通報システム１ｄの概略構成を示す図である。
図１２に示すように、通報システム１ｄは、ゲート３、リーダライタ５ｄ、ゲート制御部９ｄ、管理用端末１１、ＩＣカード１５、赤外線放出部５１、赤外線センサ５３等から構成される。
リーダライタ５ｄは、ＩＣカード１５と無線通信を行い、ＩＣカード１５の情報を読み書きする。そして、リーダライタ５ｄは、赤外線放出部５１と赤外線センサ５３の前方に設置される。
ゲート制御部９ｄは、リーダライタ５ｄと赤外線センサ５３からの信号を受け、ゲート３の開閉を制御する。また、ゲート制御部９ｄは、管理用端末１１と接続される。そして、ゲート制御部９ｄは、壁面等に設置、または埋設される。
赤外線放出部５１は、赤外線センサ５３に向けて、赤外線５２を照射する。そして、赤外線放出部５１は、ゲート３の前方に設置される。
赤外線センサ５３は、赤外線５２を受光し、赤外線５２が遮断されるとゲート制御部９ｄに信号を送る。そして、赤外線センサ５３は、ゲート３の前方に設置される。
【００５８】
図１３を参照しながら、第５の実施形態に係る通報システム１ｄの動作を説明する。
図１３は、通報システム１ｄの処理手順を示すフローチャートである。
社員は、脅迫者から脅迫を受けていない場合、通報せずにゲート３を通るためには、赤外線５２を遮断する前に、リーダライタ５ｄにＩＣカード１５をかざす必要がある。一方、脅迫者から脅迫を受けている場合、通報してゲート３を通るためには、赤外線５２を遮断した後、リーダライタ５ｄにＩＣカード１５をかざす必要がある。
【００５９】
最初に、社員が脅迫者から脅迫を受けていない場合の通報システム１ｄの動作を説明する。
社員は、リーダライタ５ｄにＩＣカード１５をかざす。リーダライタ５ｄは、ＩＣカード１５の認証を行う。リーダライタ５ｄは、認証結果をゲート制御部９ｄに送る。ゲート制御部９ｄは、リーダライタ５ｄで認証が行われ、正しい認証結果の方が、赤外線センサ５３からの信号より先に送られてきたかを確認する（ステップ１３０１）。また、リーダライタ５ｄが、正しい認証結果かどうか確認し、ゲート制御部９ｄには、ゲート３を開ける信号を送っても良い。
リーダライタ５ｄからの正しい認証結果の方が、赤外線センサ５３からの信号より先に送られてきたことから、ゲート制御部９ｄは、ゲート３を開ける（ステップ１３０２）。
【００６０】
次に、社員が脅迫者から脅迫を受けている場合の通報システム１ｄの動作を説明する。
社員は、赤外線放出部５１から照射される赤外線５２を遮断する。すなわち、赤外線放出部５１と赤外線センサ５３を結ぶ直線上に体の一部を移動して、赤外線５２を一時的に遮断する。赤外線センサ５３は、ゲート制御部９ｄに信号を送る。
社員は、リーダライタ５ｄにＩＣカード１５をかざす。リーダライタ５ｄは、ＩＣカード１５の認証を行う。リーダライタ５ｄは、認証結果をゲート制御部９ｄに送る。ゲート制御部９ｄは、リーダライタ５ｄで認証が行われ、正しい認証結果の方が、赤外線センサ５３からの信号より先に送られてきたかを確認する（ステップ１３０１）。また、リーダライタ５ｄが、正しい認証結果かどうか確認し、ゲート制御部９ｄには、ゲート３を開ける信号を送っても良い。
リーダライタ５ｄからの正しい認証結果の方が、赤外線センサ５３からの信号より後に送られてきたことから、ゲート制御部９ｄは、ゲート３を開ける（ステップ１３０３）。
ゲート制御部９ｄは、管理用端末１１に通報信号を送る（ステップ１３０４）。
管理用端末１１は、異常を表示したり、警報機を鳴動させたりする（ステップ１３０５）。
【００６１】
以上説明したように、赤外線センサ５３からの信号より先にリーダライタ５ｄから正しい認証結果が送られてきた場合には、ゲート制御部９ｄは、ゲート３を開ける。
一方、赤外線センサ５３からの信号よりも後にリーダライタ５ｄから正しい認証結果が送られてきた場合には、ゲート制御部９ｄは、ゲート３を開けて、管理用端末１１に通報信号を送る。これにより、社員は、脅迫者に気付かれることなく、管理用端末１１に通報することが可能となる。
【００６２】
本実施の形態では、赤外線５２を遮断する動作が容易であることから、確実に通報が可能となる。
また、赤外線センサ５３からの信号を利用することにより、コスト面での負担を減らして、通報システム１ｄを導入することができる。
【００６３】
次に、第６の実施形態を詳細に説明する。
図１４は、第６の実施の形態に係る通報システム１ｅの概略構成を示す図である。
図１４に示すように、通報システム１ｅは、ゲート３、リーダライタ５ｅ、ゲート制御部９ｅ、管理用端末１１、ＩＣカード１５等から構成される。
リーダライタ５ｅは、ＩＣカード１５と無線通信を行い、ＩＣカード１５の情報を読み書きする。また、リーダライタ５ｅは、管理用端末１１に接続される。そして、リーダライタ５ｅは、壁面等に設置される。
ゲート制御部９ｅは、リーダライタ５ｅからの信号を受け、ゲート３の開閉を制御する。また、ゲート制御部９ｅは、管理用端末１１に接続されても良い。そして、ゲート制御部９ｅは、壁面等に設置、または埋設される。
【００６４】
図１５を参照しながら、第６の実施形態に係る通報システム１ｅの動作を説明する。
図１５は、通報システム１ｅの処理手順を示すフローチャートである。
社員は、脅迫者から脅迫を受けていない場合、通報せずにゲート３を通るためには、リーダライタ５ｅにＩＣカード１５をかざす時間が、閾値を超えないようにする必要がある。一方、脅迫者から脅迫を受けている場合、通報してゲート３を通るためには、リーダライタ５ｅにＩＣカード１５をかざす時間が、閾値を超えるようにする必要がある。
【００６５】
最初に、社員が脅迫者から脅迫を受けていない場合の通報システム１ｅの動作を説明する。
社員は、リーダライタ５ｅにＩＣカード１５をかざす。ここで社員は、例えば、認証が完了したことを通知する信号音が発せられた後、一定時間内にＩＣカード１５をかざすことを止める。
リーダライタ５ｅは、ＩＣカード１５の認証を行う。リーダライタ５ｅは、ＩＣカード１５がかざされている時間を計測する。すなわち、ＩＣカード１５がリーダライタ５ｅと無線通信可能な領域に入った時間から出る時間までを計測する。
リーダライタ５ｅは、認証結果と計測時間をゲート制御部９ｅに送る。ゲート制御部９ｅは、リーダライタ５ｅから正しい認証結果が送られ、計測時間が閾値以下かを確認する（ステップ１５０１）。また、リーダライタ５ｅが、正しい認証結果がどうかと計測時間が閾値以下かを確認し、ゲート制御部９ｅには、ゲート３を開ける信号を送っても良い。ここで閾値は、例えば、認証が完了したことを通知する信号音が発せられた後から一定時間を超える時間として定められた時間である。
リーダライタ５ｅから正しい認証結果が送られ、計測時間が閾値以下であることから、ゲート制御部９ｅは、ゲート３を開ける（ステップ１５０２）。
【００６６】
次に、社員が脅迫者から脅迫を受けている場合の通報システム１ｅの動作を説明する。
社員は、リーダライタ５ｅにＩＣカード１５をかざす。ここで社員は、例えば、認証が完了したことを通知する信号音が発せられた後、一定時間以上経過してから、ＩＣカード１５をかざすことを止める。
リーダライタ５ｅは、ＩＣカード１５の認証を行う。リーダライタ５ｅは、ＩＣカード１５がかざされている時間を計測する。
リーダライタ５ｅは、認証結果と計測時間をゲート制御部９ｅに送る。ゲート制御部９ｅは、リーダライタ５ｅから正しい認証結果が送られ、計測時間が閾値以下かを確認する（ステップ１５０１）。また、リーダライタ５ｅが、正しい認証結果がどうかと計測時間が閾値以下かを確認し、ゲート制御部９ｅには、ゲート３を開ける信号を送っても良い。
リーダライタ５ｅから正しい認証結果が送られ、計測時間が閾値を越えることから、ゲート制御部９ｅは、ゲート３を開ける（ステップ１５０３）。
リーダライタ５ｅは、管理用端末１１に通報信号を送る（ステップ１５０４）。この際、リーダライタ５ｅは、ゲート制御部９ｅを介して、管理用端末１１に通報信号を送っても良い。
管理用端末１１は、異常を表示したり、警報機を鳴動させたりする（ステップ１５０５）。
【００６７】
以上説明したように、リーダライタ５ｅで正しい認証が行われてＩＣカード１５がかざされた時間が閾値以下の場合には、ゲート制御部９ｅは、ゲート３を開ける。
一方、リーダライタ５ｅで正しい認証が行われてＩＣカード１５がかざされた時間が閾値より長い場合には、ゲート制御部９ｅは、ゲート３を開けて、リーダライタ５ｅは、管理用端末１１に通報信号を送る。これにより、社員は、脅迫者に気付かれることなく、管理用端末１１に通報することが可能となる。
【００６８】
本実施の形態では、リーダライタ５ｅにおける認証が失敗しても、成功するまで認証を行えば良いから、確実に通報が可能となる。
また、ＩＣカード１５がかざされた時間を利用することにより、コスト面での負担を減らして、通報システム１ｅを導入することができる。
【００６９】
次に、第７の実施形態を詳細に説明する。
図１６は、第７の実施の形態に係る通報システム１ｆの概略構成を示す図である。
図１６に示すように、通報システム１ｆは、ゲート３、指紋認証部６１、ゲート制御部９ｆ、管理用端末１１等から構成される。
指紋認証部６１は、手指の皮膚に走る浅い溝のパターンである指紋を使って個人を識別する認証を行う。また、指紋認証部６１は、管理用端末１１に接続される。そして、指紋認証部６１は、壁面等に設置される。
ゲート制御部９ｆは、指紋認証部６１からの信号を受け、ゲート３の開閉を制御する。また、ゲート制御部９ｆは、管理用端末１１に接続されても良い。そして、ゲート制御部９ｆは、壁面等に設置、または埋設される。
【００７０】
図１７を参照しながら、第７の実施形態に係る通報システム１ｆの動作を説明する。
図１７は、通報システム１ｆの処理手順を示すフローチャートである。
社員は、脅迫者から脅迫を受けていない場合、通報せずにゲート３を通るためには、第１の指、例えば、人差し指で認証を行う必要がある。一方、脅迫者から脅迫を受けている場合、通報してゲート３を通るためには、第２の指、例えば、薬指で認証を行う必要がある。
【００７１】
最初に、社員が脅迫者から脅迫を受けていない場合の通報システム１ｆの動作を説明する。
社員は、例えば、人差し指を指紋認証部６１に置く。指紋認証部６１は、人差し指の認証を行う。指紋認証部６１は、認証結果をゲート制御部９ｆに送る。ゲート制御部９ｆは、指紋認証部６１の認証が、例えば、人差し指か薬指かを確認する（ステップ１７０１）。また、指紋認証部６１が、人差し指か薬指かを確認し、ゲート制御部９ｆには、ゲート３を開ける信号を送っても良い。
指紋認証部６１の認証は、人差し指で行われたことから、ゲート制御部９ｆは、ゲート３を開ける（ステップ１７０２）。
【００７２】
次に、社員が脅迫者から脅迫を受けている場合の通報システム１ｆの動作を説明する。
社員は、例えば、薬指を指紋認証部６１に置く。指紋認証部６１は、薬指の認証を行う。指紋認証部６１は、認証結果をゲート制御部９ｆに送る。ゲート制御部９ｆは、指紋認証部６１の認証が、例えば、人差し指か薬指かを確認する（ステップ１７０１）。また、指紋認証部６１が、人差し指か薬指かを確認し、ゲート制御部９ｆには、ゲート３を開ける信号を送っても良い。
なお、指紋認証部６１の認証が、例えば、人差し指か薬指のいずれでもない場合は、最初から繰り返す。
指紋認証部６１の認証は、薬指で行われたことから、ゲート制御部９ｆは、ゲート３を開ける（ステップ１７０３）。
指紋認証部６１は、管理用端末１１に通報信号を送る（ステップ１７０４）。この際、指紋認証部６１は、ゲート制御部９ｆを介して、管理用端末１１に通報信号を送っても良い。
管理用端末１１は、異常を表示したり、警報機を鳴動させたりする（ステップ１７０５）。
【００７３】
以上説明したように、指紋認証部６１で認証された指が第１の指、例えば、人差し指の場合には、ゲート制御部９ｆは、ゲート３を開ける。
一方、指紋認証部６１で認証された指が第２の指、例えば、薬指の場合には、ゲート制御部９ｆは、ゲート３を開けて、指紋認証部６１は、管理用端末１１に通報信号を送る。これにより、社員は、脅迫者に気付かれることなく、管理用端末に通報することが可能となる。
【００７４】
本実施の形態では、指紋認証が失敗しても、成功するまで認証を行えば良いから、確実に通報が可能となる。
尚、本実施の形態では、人差し指と薬指の指紋によって通報を行うか行わないかを区別したが、人差し指や薬指以外の指紋を用いても良い。
【００７５】
以上、添付図面を参照しながら、本発明に係る通報システムの好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００７６】
【図１】第１の実施の形態に係る通報システム１の概略構成を示す図
【図２】第１リーダライタ５のハードウェア構成図
【図３】ＩＣカード１５のハードウェア構成図
【図４】通報システム１の処理手順を示すフローチャート
【図５】第２の実施の形態に係る通報システム１ａの概略構成を示す図
【図６】通報システム１ａの構成を示すブロック図
【図７】通報システム１ａの処理手順を示すフローチャート
【図８】第３の実施の形態に係る通報システム１ｂの概略構成を示す図
【図９】通報システム１ｂの処理手順を示すフローチャート
【図１０】第４の実施の形態に係る通報システム１ｃの概略構成を示す図
【図１１】通報システム１ｃの処理手順を示すフローチャート
【図１２】第５の実施の形態に係る通報システム１ｄの概略構成を示す図
【図１３】通報システム１ｄの処理手順を示すフローチャート
【図１４】第６の実施の形態に係る通報システム１ｅの概略構成を示す図
【図１５】通報システム１ｅの処理手順を示すフローチャート
【図１６】第７の実施の形態に係る通報システム１ｆの概略構成を示す図
【図１７】通報システム１ｆの処理手順を示すフローチャート
【符号の説明】
【００７７】
１………通報システム
３………ゲート
５………第１リーダライタ
６………第３リーダライタ
７………第２リーダライタ
９………ゲート制御部
１１………管理用端末
１３………管理室
１５………ＩＣカード
２１………制御部
２３………記憶部
２５………送受信部
２７………通信制御部
２９………バス
３１………アンテナ
４１………制御部
４３………記憶部
４５………送受信部
４７………バス
４９………アンテナ
５１………赤外線放出部
５２………赤外線
５３………赤外線センサ
６１………指紋認証部
【図１】
2008097080.tif 000003
【図２】
2008097080.tif 000004
【図３】
2008097080.tif 000005
【図４】
2008097080.tif 000006
【図５】
2008097080.tif 000007
【図６】
2008097080.tif 000008
【図７】
2008097080.tif 000009
【図８】
2008097080.tif 000010
【図９】
2008097080.tif 000011
【図１０】
2008097080.tif 000012
【図１１】
2008097080.tif 000013
【図１２】
2008097080.tif 000014
【図１３】
2008097080.tif 000015
【図１４】
2008097080.tif 000016
【図１５】
2008097080.tif 000017
【図１６】
2008097080.tif 000018
【図１７】
2008097080.tif 000019